(57)【要約】【課題】アウト口での遊技球の跳ね上がりを防止することができて、中央の特別図柄表示画面の肥大化に伴って大入賞口をできるだけ下方側に配置することが可能な遊技機を提供する。【解決手段】アウト口２１と案内レール２との間に、アウト球４が上方に跳ね返らないようにアウト球４を落とし込む段部３２，３２を形成すると共に、段部３２，３２の高さをパチンコ球の直径寸法の約１／２以上となるように設定する。【選択図】図３
2007236794.tif 000002
【特許請求の範囲】
【請求項１】
いずれの入賞口にも入らなかった遊技球を遊技盤から背面側に排出するアウト口を備えた遊技機において、
前記アウト口と前記遊技球を前記アウト口に案内する案内レールとの間には、前記遊技球が上方に跳ね返らないように前記遊技球を落とし込む段部が形成されていることを特徴とする遊技機。
【請求項２】
前記段部は、前記遊技球の直径寸法の約１／２以上の高さを有することを特徴とする請求項１に記載の遊技機。
【発明の詳細な説明】
【技術分野】
【０００１】
この発明は、パチンコ機等の遊技機に関し、さらに詳しくは、アウト口を備えた遊技機に関する。
【０００２】
遊技機、例えばパチンコ機に設けられたアウト口は、いずれの入賞口にも入らなかったアウト球を遊技盤から背面側に排出するものである（例えば、特許文献１参照）。
【０００３】
従来、このようなアウト口にアウト球を誘導する案内レール（例えば、内レール、外レール）は、アウト口と段差がないように絞って形状をだしていた板金レールが用いられていたが、現在では、絞りのない合成樹脂製の案内レールが用いられる傾向にある。そのため、図４に示されるように、アウト口１と案内レール２との間には角部３が形成されている。
【０００４】
【特許文献１】特開２００５−２１１４１７号公報
【発明の開示】
【発明が解決しようとする課題】
【０００５】
しかしながら、このような盤面構成においてゴム打ちすると、役物や遊技釘に接触することなくアウト球４が案内レール２に沿って滑り落ちてきてアウト口１に到達する場合がある。このようなアウト球４は勢いがあるため、アウト口１の左側の角部３により上方に跳ね返されて開放中の大入賞口１７の扉を閉めてしまう虞があった。
【０００６】
そして、アウト球４が跳ねて大入賞口１７の扉を閉めてしまう虞があるため、中央の特別図柄表示画面の肥大化に伴って大入賞口１７をできるだけ下方側に配置したくてもできないという問題があった。
【０００７】
そこで、この発明は、上記した従来技術が有している問題点を解決するためになされたものであって、アウト口での遊技球の跳ね上がりを防止することができて、中央の特別図柄表示画面の肥大化に伴って大入賞口をできるだけ下方側に配置することが可能な遊技機を提供することを目的とする。
【０００８】
上記目的を達成するため第１の発明は、いずれの入賞口にも入らなかった遊技球を遊技盤から背面側に排出するアウト口を備えた遊技機において、
前記アウト口と前記遊技球を前記アウト口に案内する案内レールとの間には、前記遊技球が上方に跳ね返らないように前記遊技球を落とし込む段部が形成されていることを特徴とする。
【０００９】
上記目的を達成するため第２の発明は、第１の発明の構成に加えて、前記段部は、前記遊技球の直径寸法の約１／２以上の高さを有することを特徴とする。
【００１０】
第１、第２の発明によれば、アウト口と案内レールとの間には、遊技球が上方に跳ね返らないように遊技球を落とし込む段部が形成されていると共に、この段部は、遊技球の直径寸法の約１／２以上の高さに設定されている。これにより、案内レールに沿って滑り落ちてきた遊技球が段部の対向面間に落とし込まれると、遊技球の重心位置が段部内に位置するか、或いは遊技球の重心位置と段部の肩口である角部との位置がほぼ同じ高さとなるので、遊技球は上方に向かって跳ね返えらないようになる。したがって、遊技球の上方への跳ね返りを防止することができるようになる。さらに、遊技球の上方への跳ね返りの心配がなくなるので、中央の特別図柄表示画面の肥大化に伴って大入賞口をできるだけ下方側に配置することができるようになる。これらの結果、ゴム打ちの際の遊技球の勢いを殺すことを考えずに役物設計やゲージ設計が行えるようになるだけでなく、アタッカーを最下端に配置することができるようになる。しかも、枠寸法の変更も必要がない。
【発明の効果】
【００１１】
本発明の遊技機によれば、アウト口と案内レールとの間に、遊技球が上方に跳ね返らないように遊技球を落とし込む段部を設けたので、遊技球は上方に向かって跳ね返えらないようになる。したがって、遊技球の跳ね上がりを防止することができて、中央の特別図柄表示画面の肥大化に伴って大入賞口をできるだけ下方側に配置することができるようになる。
【発明を実施するための最良の形態】
【００１２】
以下、本発明の実施形態の遊技機としてのパチンコ機について図面を用いて説明する。図１は、パチンコ機の正面図、図２は、図１の背面図である。
【００１３】
まず、遊技機としてのパチンコ機の概略構成について説明する。
図１に示されるように、パチンコ機１１は、パチンコ機１１全体の筐体をなす外枠１２、遊技盤保持枠１３、前面パネル１４等で構成されている。遊技盤保持枠１３は、遊技盤１６を有して、外枠１２に回転可能に設けられている。前面パネル１４は、遊技盤保持枠１３を開閉できるように、外枠１２に回転自在に設けられている。さらに、この前面パネル１４には、遊技盤１６を覆うガラスを有して遊技盤１６を開閉するガラス枠１８、遊技球としてのパチンコ球を発射する発射装置３１及びこの発射装置を操作する発射ハンドル４１を設けてある皿ユニット１９等が備えられている。
【００１４】
遊技盤１６の前面には、液晶からなる特別図柄表示画面２２を有するエスカッション２０、複数の入賞口１５、大入賞口１７、いずれの入賞口１５，１７にも入らなかったアウト球を遊技盤１６から排出するアウト口２１、図示しない障害釘等が備えられている。特別図柄表示画面２２は、遊技盤１６のほぼ中央に位置してエスカッション２０の開口２０ａから露出するように設けられている。
【００１５】
図２に示されるように、パチンコ機１１の背面側には、遊技島に設置してある貯留装置から一度に多数のパチンコ球が送り込まれても受け止めることのできる賞球タンク２３、この賞球タンク２３から流出する賞球を案内する横案内路２４及び図示しない縦案内路、表側に特別図柄表示画面２２を備えた液晶ユニット２５、サブ制御基板２６、パチンコ機全体を制御する主制御基板２７、パチンコ機全体の電源となる電源ユニット２８、賞球の払い出し制御を行う払い出し制御基板２９、発射装置３１を発射制御する発射制御基板３０等が備えられている。
【００１６】
主制御基板２７は、パチンコ機全体を制御するため、パチンコ機１１の動作全体を管理するシステムプログラム及び遊技用の実行プログラムが予め記憶された半導体メモリ等からなる記憶部、これらのプログラムを実行するマイクロプロセッサ（ＭＰＵ）を備えている。
【００１７】
次に、本発明の実施形態に係るパチンコ機１１のアウト口２１について図３を用いて詳細に説明する。
【００１８】
図３は、本発明の実施形態に係るパチンコ機のアウト口の正面図である。
【００１９】
なお、従来とほぼ同様な構成部材については従来と同一の符号を付している。
【００２０】
図３に示されるように、アウト口２１とアウト球４をアウト口２１に案内する案内レール２との間には、アウト球４が上方に跳ね返らないようにアウト球４を落とし込む段部３２，３２が形成されている。これら段部３２，３２は、パチンコ球の直径寸法（直径約１１ｍｍ）の約１／２以上の高さとなるように設定されている。すなわち、段部３２，３２の対向面間に落とし込まれたアウト球４は、そのアウト球４の重心位置が段部３２，３２の対向面間に位置するか、或いはアウト球４の重心位置と段部３２の肩口である角部３との位置がほぼ同じ高さとなるように設定されている。
【００２１】
かかる構成によれば、ゴム打ちされたアウト球４が、役物や遊技釘に接触することなく案内レール２に沿って滑り落ちてきたのち段部３２，３２の対向面間に落とし込まれて、相対向する左側の段部３２に当接しても、そのアウト球４の重心位置が段部３２，３２内に位置するか、或いはアウト球４の重心位置と角部３との位置がほぼ同じ高さとなるので、アウト球４は上方に向かって跳ね返えらないようになる。したがって、アウト球４の上方への跳ね返りを防止することができるようになる。さらに、アウト球４の上方への跳ね返りの心配がなくなるので、中央の特別図柄表示画面２２の肥大化に伴って大入賞口１７をできるだけ下方側に配置することができるようになる。これらの結果、ゴム打ちの際のパチンコ球の勢いを殺すことを考えずに役物設計やゲージ設計が行えるようになるだけでなく、アタッカーを最下端に配置することができるようになる。しかも、枠寸法の変更も必要がない。
【図面の簡単な説明】
【００２２】
【図１】パチンコ機の正面図である。
【図２】図１の背面図である。
【図３】本発明の実施形態に係るパチンコ機のアウト口の正面図である。
【図４】従来のパチンコ機のアウト口の正面図である。
【符号の説明】
【００２３】
２      案内レール
３      角部
４      アウト球（遊技球）
１１    パチンコ機（遊技機）
１５    入賞口
１６    遊技盤
１７    大入賞口
２１    アウト口
３３    段部
【図１】
2007236794.tif 000003
【図２】
2007236794.tif 000004
【図３】
2007236794.tif 000005
【図４】
2007236794.tif 000006